(57)【要約】【課題】本発明は、ハーネスおよび腰巻を着用すれば、圧縮空気ボンベ固定ベルトに固定された圧縮空気ボンベがバックマウントされるバックパックに関する。【解決手段】本発明は、圧縮空気ボンベ５０を支持するための支持フック１０５を有するバックボード１００と；上下方に回動するように前記バックボード１００に連結されたハーネス３０を固定するハーネス固定具１３０と；着用者の背中を取り囲んで保護するため、ハーネス固定具１３０の背面でバックボード１００に結合された腰保護具と；バックボード１００上にハーネス固定具１３０および腰保護具を回動可能に支持するための回動装置とを含む。腰保護具およびハーネス固定具は回動装置によってバックボードと独立して動作して、着用者が腰巻およびハーネスの束縛なしに自由に活動することができる。【選択図】３
2007511319.tif 000002
【特許請求の範囲】
【請求項１】
使用者がハーネス３０および腰巻２０を着用することにより、圧縮空気ボンベ固定ベルト４０に固定された圧縮空気ボンベ５０が背負われるようにしたバックパックにおいて、
上部に前記ハーネス３０の一端部が固定され、中間部両側に前記圧縮空気ボンベ固定ベルト４０が固定され、下部に互いに離隔して突出して前記圧縮空気ボンベ５０を支持する一対の支持フック１０５を持つバックボード１００と；
両端に前記ハーネス３０の他端部が固定され、前記バックボード１００の背面下部に結合され、中央を中心として両端部が上下に回動し、横方向に長く形成されたハーネス固定具１３０と；
前記ハーネス固定具１３０の後方側で前記バックボード１００と結合され、中央を中心として両端部が上下に回動し、両側には前記腰巻２０が結合され、使用者の背中を取り囲んで保護する板状の腰保護具１２０と；
前記ハーネス固定具１３０および腰保護具１２０を前記バックボード１００に対して回動可能に固定させる回動装置と；を含むことを特徴とするバックパック。
【請求項２】
前記ハーネス固定具１３０は、
横方向に長く形成され、前記バックボード１００に上下方に回動可能に結合される長方形プレート１３２と；
前記長方形プレート１３２の両端に折り畳み可能に連結され、端部には前記ハーネス３０の他端が固定されるハーネス固定孔１３４ａを持つハーネス連結ブラケット１３４と；を含むことを特徴とする、請求項１に記載のバックパック。
【請求項３】
前記ハーネス連結ブラケット１３４のハーネス固定孔１３４ａは水平方向に長く形成され；
前記ハーネス固定孔１３４ａは前記ハーネス連結ブラケット１３４の内側から外側に２２゜〜５５゜の下向き傾斜（β）を有するように形成され、この下向き傾斜（β）によって、前記ハーネス３０の他端が傾いた状態でハーネス連結ブラケット１３４に固定されることを特徴とする、請求項２に記載のバックパック。
【請求項４】
前記回動装置は、
前記腰保護具１２０の真中で突出して固定され、前記ハーネス固定具１３０の中央と前記バックボード１００の下部側中央を順次貫通し、腰保護具１２０およびハーネス固定具１３０が回動するように回動軸の役目をするヒンジ軸２５０と；
前記バックボード１００の前方で前記ヒンジ軸２５０と一体的に結合され、このヒンジ軸２５０をバックボード１００上に回動可能に固定するヒンジ軸カバー２５５と；
前記ヒンジ軸カバー２５５を前記ヒンジ軸２５０に一体的に結合させる締結部材２９０と；を含むことを特徴とする、請求項１に記載のバックパック。
【請求項５】
前記回動装置は、
前記腰保護具１２０およびハーネス固定具１３０の回動を案内し、回動角度を制御する回動補助手段をさらに含み、
前記回動補助手段は、
前記腰保護具１２０の両側に昇降突起２６０を突出状態にそれぞれ固定設置し、このそれぞれの昇降突起２６０が挿通される垂直円弧状の第１および第２ガイド長孔２６０ａ、２６０ｂを、前記バックボード１００の下部両側およびハーネス固定具１３０の両側にそれぞれ形成し、昇降突起２６０が前記第１および第２ガイド長孔２６０ａ、２６０ｂを順次貫通した状態で、昇降突起２６０に突起カバー２６５を締結ネジ２９０ａで固定することにより、前記昇降突起２６０が第１および第２ガイド長孔２６０ａ、２６０ｂに沿って昇降して腰保護具１２０およびハーネス固定具１３０の回動角度を制御するように構成されることを特徴とする、請求項４に記載のバックパック。
【請求項６】
前記バックボード１００に形成された第１ガイド長孔２６０ａおよび前記ハーネス固定具１３０に形成された第２ガイド長孔２６０ｂは、バックボード１００を貫通した前記ヒンジ軸２５０を中心として、それぞれ２２゜〜２８゜、および７゜〜１３゜の円弧角（θ、α）を有するように形成され、前記円弧角（θ、α）が第１および第２ガイド長孔２６０ａ、２６０ｂの長さを決定するように構成されることを特徴とする、請求項５に記載のバックパック。
【請求項７】
前記回動装置は、
前記ハーネス固定具１３０の回動を案内する回動ガイド手段をさらに含み、
前記回動ガイド手段は、
前記ハーネス固定具１３０の長方形プレート１３２およびバックボード１００の両端部側にガイド長孔５６２をそれぞれ形成し、このガイド長孔５６２にフランジを持つ棒型突起部材５６５、５６５’を貫通させ、突起部材５６５、５６５’の端部に板状または環状の結合部材５６８、５６８’を固定することにより、ハーネス固定具１３０の回動時、前記突起部材５６５、５６５’がガイド長孔５６２内を移動するように構成されることを特徴とする、請求項４に記載のバックパック。
【請求項８】
前記回動装置は、
前記腰保護具１２０の回動角度を制御する回動角度制御手段をさらに含み、
前記回動角度制御手段は、
前記ヒンジ軸２５０に一体的に結合される前記ヒンジ軸カバー２５５を四角形に形成し、このヒンジ軸カバー２５５の両側の前記バックボード１００上に、ヒンジ軸カバー２５５の回動中にヒンジ軸カバー２５５を支持する傾斜突起６１０を形成することにより、回動する前記腰保護具１２０が傾斜突起６１０の傾斜角度（ｒ）範囲内で回動するように構成されることを特徴とする、請求項４または７に記載のバックパック。
【請求項９】
前記バックボード１００に対して前記腰保護具１２０をスライドさせながら昇降させる昇降アセンブリをさらに含むことを特徴とする、請求項１に記載のバックパック。
【請求項１０】
前記昇降アセンブリは、
前記腰保護具１２０上に、前記回動装置と向い合う状態に突設され、腰保護具１２０の昇降時にともに昇降し、前方に垂直長孔７１２を持つガイド突出部７１０と；
前記ガイド突出部７１０の背面と密着した状態を維持する昇降ガイド７２０と；
前記昇降ガイド７２０から延設され、前記ガイド突出部７１０の垂直長孔７１２を貫通し、端部が前記回動装置に連結されることにより、ガイド突出部７１０の昇降を案内するガイド突起７２２と；
前記昇降ガイド７２０のガイド突起７２２を前記回動装置に連結させる固定部材７２４と；を含むことを特徴とする、請求項９に記載のバックパック。
【請求項１１】
前記ガイド突出部７１０は側面上で前方に膨らんでいるラウンドＲを有するように形成され、ガイド突出部７１０がラウンドＲを描きながら昇降するように構成されていることを特徴とする、請求項１０に記載のバックパック。
【請求項１２】
前記昇降アセンブリは、
前記腰保護具１２０の前後方への動作時、腰保護具１２０を傾動させる傾動手段をさらに含むことを特徴とする、請求項１０に記載のバックパック。
【請求項１３】
前記傾動手段は、
前記昇降ガイド７２０が側面上で三角形状を有するように形成され、前記昇降ガイド７２０に対応して側面上で三角形状を持つように形成されたリング部材７４０を、前記ガイド突出部７１０の前面に密着するように、前記昇降ガイド７２０のガイド突起７２２に外挿することにより、昇降ガイド７２０およびリング部材７４０が側面上の突出部によってガイド突出部７１０を支持しながら前後方へのシーソー動作を行うように構成されることを特徴とする、請求項１２に記載のバックパック。
【請求項１４】
前記ガイド突出部７１０と昇降ガイド７２０との間に介在されるように、前記昇降ガイド７２０のガイド突起７２２に外挿されて、ガイド突出部７１０と昇降ガイド７２０間の接触を防止する環状の摩擦防止部材７６０をさらに含むことを特徴とする、請求項１０に記載のバックパック。
【請求項１５】
前記摩擦防止部材７６０は断面がジグザグ状に形成されて、前記ガイド突出部７１０に対して前記昇降ガイド７２０を弾支するように構成されていることを特徴とする、請求項１４に記載のバックパック。
【請求項１６】
前記バックボード１００の下部両側にそれぞれ固定設置されて点滅する点滅灯１０４と；
前記バックボード１００の下端で所定の幅を持ち、下方に伸びるとともに下端が折り曲げられてバックボード１００の前方に突出し、バックボード１００に固定された前記圧縮空気ボンベ５０の端部を外部衝撃から保護する保護板１４０と；をさらに含むことを特徴とする、請求項１に記載のバックパック。
【請求項１７】
前記保護板１４０は、
前方側の折曲部両側に保護板１４０と一体的に垂直に形成され、保護板１４０の垂直剛性を補強する一対の補強リーブ１４２と；
前記一対の補強リーブ１４２間に備えられ、補強リーブ１４２によって両側が保護され、前記バックボード１００の点滅灯１０４に電源を供給するバッテリーが挿入されるバッテリーケーシング１０６と；をさらに含むことを特徴とする、請求項１６に記載のバックパック。
【発明の詳細な説明】
【技術分野】
【０００１】
本発明は、品物を背負うのに使用されるバックパックに係り、特に圧縮空気ボンベを便利に背負うのに使用するバックパックに関するものである。
【背景技術】
【０００２】
一般に、圧縮空気ボンベをバックマウントする（背負う）のに使用されるバックパック（Ｂａｃｋｐａｃｋ）は、板状のバックボードにハーネス（Ｈａｒｎｅｓｓ）と腰巻、そして圧縮空気ボンベ固定ベルトなどを一体的に備え、圧縮空気ボンベ固定ベルトに圧縮空気ボンベを固定した後、ハーネスと腰巻を肩と腰に着用することで、圧縮空気ボンベをバックマウント（Ｂａｃｋ−ｍｏｕｎｔ）することができる。
【０００３】
このような従来のバックパックは、図１に示すように、圧縮空気ボンベ５０が垂直に立てられて固定され、肩掛け用ハーネス３０、およびバックル２４を持つ腰巻２０が装着されたバックボード１０で構成される。
【０００４】
このようなバックボード１０は、ハーネス３０の上端部が縫着線Ｓによって固定されるハーネス固定孔１１が上端に形成され、その下部側中間部には、圧縮空気ボンベ５０を固定する圧縮空気ボンベ固定ベルト４０が固定され、下部側には、着用者の背中を取り囲み、腰巻２０が連結されるクリップ２２を持つ背中ベルト２１が固定される。
【０００５】
ここで、背中ベルト２１は、点線で示すように、バックボード１０の両側に形成された背中ベルト挿入孔１１ａに中間部が挿入されて固定され、クリップ２２が固定された両端側にはハーネス３０の下端部が縫着線Ｓによって固定される。
【０００６】
この時、ハーネス３０の下端部は、図示のように、水平状態で背中ベルト２１に縫着線Ｓによって縫着され、これによりハーネス３０の下端部と背中ベルト２１の長手方向は水平状態で平行を維持する。
【０００７】
このように、ハーネス３０の下端部が背中ベルト２１に縫着線Ｓによって固定されるので、ハーネス３０と背中ベルト２１は同一体をなし、さらにバックボード１０もハーネス３０および背中ベルト２１とともに同一体をなす。
【０００８】
一方、バックボード１０の下端部中央には、空気減圧用レギュレーター５６が備えられた圧縮空気ボンベ５０のネック部を下部で支持する支持フック１２が突設され、その下端には、バックボード１０とは独立して製造され、ハーネス３０の着用時、バックボード１０を立てるように、バックボード１０の下部を支持する“Ｌ"字形の鉄材支持フレーム１５がボルト締結方式で固定設置される。
【０００９】
また、バックボード１０は、使用者の位置を点滅で知らせる点滅灯１３が支持フック１２の両側に装着され、点滅灯１３の後方下端、つまりバックボード１０の背面下端には、点滅灯１３に電源を供給するバッテリーケーシング１４が備えられる。
【００１０】
図面において、引用符号５５は、圧縮空気ボンベ５０のレギュレーター５６に連結され、着用者に空気を供給する空気供給用ホースである。
【００１１】
このように構成された従来のバックパックを着用するためには、圧縮空気ボンベ５０をバックボード１０に、図示のように、逆に配置して、ネック部が支持フック１２にかかるようにした後、圧縮空気ボンベ固定ベルト４０で圧縮空気ボンベ５０を固定する。
【００１２】
そして、支持フレーム１５を軸としてバックボード１０を立てた後、ハーネス３０および腰巻２０を着用すれば良い。
【００１３】
しかし、このような従来のバックパックは、着用者が腰を左右に動けば、同一体をなす背中ベルト２１および腰巻２０、そしてハーネス３０およびバックボード１０が同時に動くので、圧縮空気ボンベ５０も着用者の腰と同一角度に傾く。
【００１４】
したがって、圧縮空気ボンベ５０はこのような傾きによって重量中心が変わることになり、これにより、着用者は圧縮空気ボンベ５０が傾いた方向に倒れる問題がたびたび発生する。
【００１５】
特に、着用者が火事場の消防署員の場合には、圧縮空気ボンベ５０の重量中心の変化によって倒れることにより、緊急現場で大きな人災を被ることもある。
【００１６】
また、従来のバックパックは、ハーネス３０が背中ベルト２１と一体的に連結されるから、着用者が腕を持ち上げる場合、背中ベルト２１がハーネス３０を拘束し、ハーネス３０は連鎖的に着用者の肩を拘束するので、着用者は背中ベルト２１およびハーネス３０の束縛によって、腕の使用が非常に不便になる問題もある。
【００１７】
同時に、バッテリーケーシング１４がバックボード１０の背面に備えられているため、バッテリーを入れ替えるためには、必ずバックボード１０を覆さなければならないので、バッテリーの入れ替えが非常に不便であるだけでなく、入れ替え時間が多少長くかかる問題もある。
【００１８】
さらに、バックボード１０を立てる支持フレーム１５がワイヤ状に形成されているため、バックパックを着用して活動する場合、この支持フレーム１５に鉄筋のような突出物がかかる問題もあるだけでなく、支持フレーム１５が鉄材で形成されているため、バックパックの全体重量を増加させる問題もある。
【００１９】
もちろん、消防署員がこのようなバックパックを着用して鎮火作業をする場合、支持フレーム１５に突出物がかかれば、これを解除するために鎮火作業が遅くなる問題が発生し、そしてさらに、これよりもっと大きな問題は、突出物のかかりによって、消防署員が火事場で迅速に待避しにくいということである。
【００２０】
最後に、従来のバックパックは、支持フレーム１５がバックボード１０と独立して形成されるため、バックボード１０に支持フレーム１５を取り付ける工程が加えられ、バックパックの製造時間が長くかかる問題もある。
【００２１】
もちろん、バックパックの製造時間が長く消耗されるので、バックパックの生産性が低下することはもちろんである。
【発明の開示】
【発明が解決しようとする課題】
【００２２】
本発明は前記のような従来の問題を解決するためになされたもので、本発明の目的は、バックパックの腰巻およびハーネスがバックボードと独立して作動し、腰巻とハニスも互いに独立して作動するだけでなく、腰巻およびハーネスの着用状態の傾斜角度（上下方向および前後方向）を自由に調節することができるバックパックを提供することにある。
【００２３】
また、さらに本発明の目的は、バッテリーケーシングの位置が変更されるので、バッテリーの入れ替えを容易に行うことができるだけでなく、バックボードに取り付けられる支持フレームの取り付け工程を排除することができ、支持フレームの構造を変更することで、突出物に支持フレームがかかることを防止することができるバックパックを提供することにある。
【課題を解決するための手段】
【００２４】
このような目的を達成するため、本発明は、使用者がハーネスおよび腰巻を着用すれば、圧縮空気ボンベ固定ベルトに固定された圧縮空気ボンベがバックマウントされるバックパックにおいて、上部には前記ハーネスの一端部が固定され、中間部両側には前記圧縮空気ボンベ固定ベルトが固定され、下部には互いに離隔して突出して前記圧縮空気ボンベを支持する一対の支持フックを持つバックボードと；両端には前記ハーネスの他端部が固定され、前記バックボードの背面下部側に結合され、中央を中心として両端部が上下に回動し、横方向に長く形成されたハーネス固定具と；前記ハーネス固定具の後方側で前記バックボードと結合され、中央を中心として両端部が上下に回動し、両側には前記腰巻が結合され、使用者の背中を取り囲んで保護する板状の腰保護具と；前記ハーネス固定具および腰保護具を前記バックボードに対して回動可能に固定させる回動装置と；を含むことを特徴とするバックパックを提供する。
【００２５】
前記回動装置は、前記腰保護具の真中で突出して固定され、前記ハーネス固定具の中央と前記バックボードの下部側中央を順次貫通し、腰保護具およびハーネス固定具が回動するように回動軸の役目をするヒンジ軸と；前記バックボードの前方で前記ヒンジ軸と一体的に結合され、このヒンジ軸をバックボード上に回動可能に固定するヒンジ軸カバーと；前記ヒンジ軸カバーを前記ヒンジ軸に一体的に結合させる締結部材と；を含むことができる。
【００２６】
したがって、バックパックの腰巻およびハーネスがヒンジ軸を中心としてバックボードと独立して作動するだけでなく、腰巻とハーネスも互いに独立して作動するので、着用者が腰巻とハーネスの束縛なしに自由に活動することができる。
【００２７】
本発明の回動装置は、ハーネス固定具の回動を案内する回動ガイド手段をさらに含むことができる。このような回動ガイド手段は、例えば、前述したハーネス固定具の長方形プレートおよびバックボードの両端部側にガイド長孔をそれぞれ形成し、このガイド長孔にフランジを持つ棒型突起部材を貫通させて、突起部材の端部に板状または環状の結合部材を固定することにより、ハーネス固定具の回動の時、突起部材がガイド長孔で移動できるように構成することができる。
【００２８】
前記突起部材および結合部材はそれぞれ、一端部にフランジが形成されたリングナット、およびネジによってリングナットの端部に結合されるワッシャ型カバーとすることができる。また、前記突起部材および結合部材はそれぞれ、フランジに相当するヘッドを持ち、端部にネジ部が形成されたピンボルト、およびピンボルトの端部に螺合されるナットとすることができる。これとは異なり、前記突起部材および結合部材はそれぞれ、一端部にフランジを持ち、他端部に円周方向の溝を持つピン、およびこのピンの他端部溝に挿着されるスナップリングとすることができる。
【００２９】
そして、本発明の回動装置は、腰保護具の回動角度を制御する回動角度制御手段をさらに含むことができる。このような回動角度制御手段は、例えば、前述した回動装置のヒンジ軸に一体的に固定され、ヒンジ軸とともに回動する前記ヒンジ軸カバーを四角形に形成し、このヒンジ軸カバーの両側に位置するバックボード上に、ヒンジ軸カバーの回動中にヒンジ軸カバーを支持する傾斜突起を形成して、回動する腰保護具が傾斜突起の傾斜角度内で回動するように構成することができる。
【００３０】
本発明のバックパックは、バックボードに対して腰保護具をスライドさせながら昇降させる昇降アセンブリをさらに含むことができる。このような昇降アセンブリは、例えば、腰保護具上に、ヒンジ軸と向い合う状態に突設され、前方には垂直長孔を持つキャップ形状のガイド突出部と；このガイド突出部の背面と密着状態を維持する昇降ガイドと；この昇降ガイドの中央で延設され、前述したガイド突出部の垂直長孔を貫通し、端部にはヒンジ軸が固定され、腰保護具の昇降の時、ガイド突出部の昇降を案内するガイド突起と；前述した昇降ガイドのガイド突起に、ヒンジ軸を固定させる固定部材と；を含むことができる。
【００３１】
前記昇降アセンブリは、腰保護具の前後方動作の時、腰保護具を傾動させる傾動手段をさらに含むことができる。
【００３２】
このような傾動手段は、例えば、昇降ガイドを側面上で三角形状を有するように形成し、この昇降ガイドに対応して形成されて側面上で三角形状を持つリング部材を、ガイド突出部の前面に密着するように、昇降ガイドのガイド突起に外挿することで、昇降ガイドおよびリング部材が、側面上の突出部でガイド突出部を支持しながら前後方シーソー動作を行うように構成する。
【００３３】
また、本発明のバックパックは、ガイド突出部と昇降ガイドとの間に介在されるように、昇降ガイドのガイド突起に外挿されて、ガイド突出部および昇降ガイド間の接触を防止する摩擦防止部材をさらに含むことができる。
【発明の効果】
【００３４】
前記のような本発明によるバックパックは、バックパックの腰巻およびハーネスがバックボードと独立して作動するので、圧縮空気ボンベの重量中心の変化を防止することができ、腰巻とハニスも互いに独立して作動するので、バックパックをバックマウントした着用者の活動性を大幅に向上させる効果がある。
【発明を実施するための最良の形態】
【００３５】
以下、添付図面を参照して本発明によるバックパックについて説明する。以下の説明において、本発明に備えられて作動する従来の部品要素に対しては従来の部品要素と同一の符号を付けて説明する。
【実施例１】
【００３６】
添付図面の図２は本発明の実施例１によるバックパックを示す斜視図、図３は図２に示すバックパックの構成を示す分解斜視図、図４は図２に示すバックボードを示す正面図である。
【００３７】
そして、図５は図２に示すハーネス固定具を示す正面図、図６は図２に示す腰保護具を示す正面図、図７は図２に示す腰保護具の一部を図６に示すＡ−Ａ’線に沿って切断して示す断面図である。
【００３８】
また、図８は図２に示す腰保護具の作動を示す正面図、図９は図２に示すハーネス固定具の作動を示す正面図、図１０は本発明の実施例１によるバックパックの使用状態を示す側面図である。
【００３９】
図２および図３に示すように、本発明の実施例１によるバックパックは、ハーネス３０の一端部が貫通して固定されるハーネス固定孔１０２が上端に形成され、軸方向中間部両側には、圧縮空気ボンベ５０を取り囲んで固定する、圧縮空気ボンベ固定ベルト４０が貫通して固定されるベルト固定孔１０３が形成され、下部には、互いに離隔して突出され、圧縮空気ボンベ固定ベルト４０に固定された圧縮空気ボンベ５０を支持する一対の支持フック１０５を持つバックボード１００を含む。
【００４０】
ここで、ハーネス固定孔１０２が形成されたバックボード１００の上端は、図示のように、両側に突出した三角形状を取り、ハーネス固定孔１０２はこの突出した三角形状の両側にそれぞれ一つずつ形成される。このように、バックボード１００の上端を突出三角形状に形成した理由は、一対のハーネス固定孔１０２が互いに広く離隔されるようにするためである。よって、それぞれのハーネス固定孔１０２に固定される一対のハーネス３０は、上端がバックボード１００を着用する着用者の肩に一層近接するように配置される。
【００４１】
バックボード１００の上端にこのような突出部がなければ、ハーネス３０の上端は着用者の首部に位置するので、着用者がバックボード１００を着用する場合、ハーネス３０の上端は着用者の首部を“Ｖ”字形に加圧することになる。すると、ハーネス３０の上端が着用者の首部を集中的に加圧するので、首部にひどい痛症を感じることになる。
【００４２】
しかし、ハーネス３０の上端が図示のように着用者の肩部に配置されれば、それぞれのハーネス３０が着用者の肩を垂直方向に加圧するので、加圧力が分散して痛症を感じない。
【００４３】
このようなバックボード１００は、図２および図３に示すように、下部両側にそれぞれ固定設置され、点滅して使用者の位置を知らせる位置確認用点滅灯１０４と、バックボード１００の下端が、図２に示すように、所定の幅を持ち、下方に伸びるとともに、下端は、図１０に示すように、折り曲げられてバックボード１００の前方に突出し、バックボード１００に固定された圧縮空気ボンベ５０の端部を外部衝撃から保護する板状の保護板１４０とをさらに含む。
【００４４】
この時、保護板１４０は、前方側の折曲部両側に一体的に垂直に形成され、保護板１４０の垂直剛性を補強する一対の補強リーブ１４２と、一対の補強リーブ１４２間に備えられ、補強リーブ１４２によって両側が保護され、バックボード１００の点滅灯１０４へ電源を供給するバッテリーを内蔵するバッテリーケーシング１０６とを備えることが望ましい。
【００４５】
すると、保護板１４０は補強リーブ１４２によって剛性が確保されるので、座屈による破損を防止することができるだけでなく、点滅灯１０４のバッテリーをこの補強リーブ１４２間に内蔵することができる。すなわち、補強リーブ１４２の離隔空間を活用してバッテリーケーシング１０６を設けることができる。もちろん、バッテリーケーシング１０６には、内装バッテリーの離脱を防止するために、図示のようなカバー１０６ａが結合されなければならないことはもちろんであり、このようなカバー１０６ａには、防水のために、図示のような防水用パッキング１０６ｂを設けることが望ましい。
【００４６】
ついで、本発明は、図２および図３に示すように、両端部にハーネス３０の他端が固定され、バックボード１００の背面下部側に結合されて、中央を中心として両端部が上下に回動し、横方向に長く形成されたハーネス固定具１３０をさらに含む。
【００４７】
このようなハーネス固定具１３０は、例えば、図５に示すように、横方向に長く形成され、自体弾性力によって曲がりながら使用者の腰を取り囲み、バックボード１００に上下方に回動可能に結合される板状の長方形プレート１３２と、この長方形プレート１３２の両端にヒンジＨで結合され、前後方に回動しながら折り畳まれ、端部にはハーネス３０の他端が挿入されて固定されるハーネス固定孔１３４ａを持つハーネス連結ブラケット１３４とを含む。
【００４８】
ここで、長方形プレート１３２は、図示のように、板状に長く形成されることによって自体弾性力を確保するので、長方形プレート１３２の両端は、使用者がハーネス３０を着用する場合、ハーネス３０の下端部によってバックボード１００の後方側に弓状に曲がる。すなわち、ハーネス３０を着用すれば、ハーネス３０の下端部は長方形プレート１３２のハーネス連結ブラケット１３４を引っ張るので、長方形プレート１３２が曲がる。これにより、ハーネス３０は着用者の肩に一層楽に着用されるので、ハーネス３０の着用による拒否感を最小化することができる。
【００４９】
この時、ハーネス連結ブラケット１３４のハーネス固定孔１３４ａは、図２および図３に示すように、水平方向に長く形成することが望ましいが、このハーネス固定孔１３４ａは、図５に示すように、ハーネス連結ブラケット１３４の内側から外側に２２゜〜５５゜の下向き傾斜（β）を有するように形成して、この下向き傾斜（β）によってハーネス３０の他端が傾いて、ハーネス連結ブラケット１３４に固定されるように構成することが一番望ましい。
【００５０】
すると、ハーネス３０の他端、すなわち下端に形成された傾斜によって、ハーネス３０がより楽に着用されるので、着心地をより向上させることができる。もちろん、ハーネス３０は、他端（下端）に傾斜が形成されることにより、着用時に縒れることがないので、着心地が向上する。
【００５１】
しかし、ハーネス３０の下端を従来のように水平状態に（終端部が水平になるように）形成すれば、ハーネス３０は、着用時、本発明よりひどく縒れることになる。このように、ハーネス３０が縒れることになれば、ハーネス３０が着用者のわき腹と干渉するので、着用者は不便さを感じることになる。しかし、本発明は、このような縒れ現象を防止することができるので、不便さを大幅に減らすことができる。
【００５２】
ついで、本発明は、図２および図３に示すように、ハーネス固定具１３０の後方側でバックボード１００と結合され、中央を中心として両端部が上下に回動し、両側には腰巻２０が結合され、使用者の背中を取り囲んで保護する板状の腰保護具１２０とを含む。
【００５３】
ここで、腰保護具１２０の両端には、図６に示すように、腰巻２０が結合される図示のようなクリップ１２１ａが付着され、このクリップ１２１ａは、図示のように、腰保護具１２０を貫通して固定される連結帯１２１の両端に付着されることが望ましいが、図示のものとは異なり、腰保護具１２０の両端に一体的に付着されることもできる。すなわち、クリップ１２１ａは連結帯１２１によって腰保護具１２０に付着され、腰巻２０はこのクリップ１２１ａに結合されて、腰保護具１２０と一体をなしている。
【００５４】
このような腰保護具１２０は、図６および６ｂに示すように、板状のクッション部材１２４と、このクッション部材１２４の一側面に密着され、クッション部材１２４が座屈されることを防止する剛性を持つプラスチック材支持板１２６と；このクッション部材１２４および支持板１２６をいっぺんに取り囲み、一側面には、支持板１２６の中央部を表出させる切開部１２２ａが形成された軟質の難燃カバー１２２とを含んで構成されることが望ましい。この時、難燃カバー１２２は難燃物質でなるか、あるいは難燃材の塗布された布地でなることが望ましい。
【００５５】
ついで、本発明は、バックボード１００に対して、前述したハーネス固定具１３０および腰保護具１２０を回動可能に固定（中央を中心として回動可能に固定）させる回動装置とを含む。
【００５６】
ここで、前記回動装置は、例えば、図３および図７に示すような腰保護具１２０の真中で突出して固定され、ハーネス固定具１３０の中央とバックボード１００の下部側中央を順次貫通し、腰保護具１２０およびハーネス固定具１３０が回動するように回動軸の役目をするヒンジ軸２５０を含む。
【００５７】
そして、図３に示すように、ヒンジ軸２５０の直径より大きく形成され、バックボード１００の前方でヒンジ軸２５０と一体的に結合され、このヒンジ軸２５０をバックボード１００上に回動可能に固定するヒンジ軸カバー２５５を含む。
【００５８】
また、ヒンジ軸カバー２５５を貫通してヒンジ軸２５０に締結されることにより、ヒンジ軸カバー２５５をヒンジ軸２５０に結合させる、図３に示すような締結部材２９０を含む。
【００５９】
この時、バックボード１００およびハーネス固定具１３０には、ヒンジ軸２５０が貫通するように、図３に示すようなヒンジ軸挿入孔２５０ａ、２５０ｂをそれぞれ形成しなければならないことはもちろんであり、ヒンジ軸カバー２５５の直径は、バックボード１００にヒンジ軸２５０がかかって回動するように、ヒンジ軸挿入孔２５０ａ、２５０ｂの直径より大きく形成される。
【００６０】
したがって、ヒンジ軸２５０は、締結部材２９０によって結合されるヒンジ軸カバー２５５によって、ハーネス固定具１３０およびバックボード１００に回動可能に固定され、ハーネス固定具１３０および腰保護具１２０はこのようなヒンジ軸２５０を中心として回動される。
【００６１】
このようなヒンジ軸２５０は、図７に示すように、一端にフランジが形成され、このフランジ部が両面テープによって腰保護具１２０のクッション部材１２４に付着されることで腰保護具１２０に固定され、クッション部材１２４に密着した支持板１２６を貫通し、難燃カバー１２２の切開部１２２ａを通じて突出する。
【００６２】
ここで、図７の引用符号Ｗは、ヒンジ軸２５０のフランジが支持板１２６を貫通して支持板１２６の外側に離脱することを防止するために、ヒンジ軸２５０に外挿され、ヒンジ軸２５０のフランジと腰保護具１２０の支持板１２６との間に介在されるワッシャである。もちろん、このようなワッシャＷは、ヒンジ軸２５０のフランジが小さい場合に適用することができ、ヒンジ軸２５０のフランジが図示のワッシャＷのように大きい外径を持つ場合には、ワッシャＷは省略することができる。
【００６３】
一方、本発明は、腰保護具１２０およびハーネス固定具１３０の回動を案内し、回動角度を制御する回動補助手段をさらに含むことができる。
【００６４】
このような回動補助手段は、例えば、図３および図７に示すように、腰保護具１２０の両側に、雌ネジ部を持つ昇降突起２６０を突出状にそれぞれ固定設置し、それぞれの昇降突起２６０が挿入貫通する垂直円弧状の第１および第２ガイド長孔２６０ａ、２６０ｂを、バックボード１００の下部両側およびハーネス固定具１３０の両側にそれぞれ形成することにより、昇降突起２６０が第１および第２ガイド長孔２６０ａ、２６０ｂを順次貫通すれば、昇降突起２６０に、図３に示すような突起カバー２６５を締結ネジ２９０ａで固定して構成することが望ましい。この時、突起カバー２６５は第１ガイド長孔２６０ａの幅より大きい外径を持つ。
【００６５】
したがって、昇降突起２６０は、腰保護具１２０およびハーネス固定具１３０の回動時に、第１および第２ガイド長孔２６０ａ、２６０ｂに沿って上下に昇降する。そして、腰保護具１２０およびハーネス固定具１３０は昇降突起２６０によって回動角度が制御されるので、ヒンジ軸２５０を中心として３６０゜回転することが防止される。
【００６６】
ここで、バックボード１００に形成された第１ガイド長孔２６０ａおよびハーネス固定具１３０に形成された第２ガイド長孔２６０ｂは、図４および図５に示すように、バックボード１００を貫通したヒンジ軸２５０を中心として、それぞれ２２゜〜２８゜、および７゜〜１３゜の円弧角（θ、α）を有するように形成して、この円弧角（θ、α）が第１および第２ガイド長孔２６０ａ、２６０ｂの長さを決定するように構成することが一番望ましい。
【００６７】
このように、円弧角（θ、α）を２２゜〜２８゜、および７゜〜１３゜に形成すれば、腰保護具１２０およびハーネス固定具１３０は、この円弧角（θ、α）により決定した特定の角度の範囲内でばかり回動する。もちろん、このような円弧角（θ、α）は、着用者の活動、すなわち腰と腕の動きを考慮した範囲であるので、着用者は不便さなしに使用することができる。
【００６８】
以下、この円弧角（θ、α）による腰保護具１２０およびハーネス固定具１３０の回動を、図８および図９を参照して詳細に説明するが、説明において、腰保護具１２０およびハーネス固定具１３０の円弧角（θ、α）はそれぞれ、２２゜および７゜に形成したものを基準として説明する。
【００６９】
まず、腰保護具１２０は、図８に示すように、２２゜に形成されたバックボード１００上の第１ガイド長孔２６０ａの円弧角（θ）によって、ヒンジ軸２５０を中心として２２゜回動する。一方、ハーネス固定具１３０は、図９に示すように、第２ガイド長孔２６０ｂの円弧角（α）によって、ヒンジ軸２５０を中心として７゜回動するが、２２゜に形成されたバックボード１００上の第１ガイド長孔２６０ａの円弧角（θ）によって、実際にはハーネス固定具１３０はヒンジ軸２５０の周りをさらに２２゜回動する。すなわち、ハーネス固定具１３０は腰保護具１２０と独立して構成されることにより、第１ガイド長孔２６０ａの円弧角（θ）だけさらに回動する。
【００７０】
したがって、着用者は腰保護具１２０の回動角度だけ腰を動かすことができ、肩および腕はそれよりもっと大きく動かすことができるので、バックパックのバックマウント時の活動が非常に自由になる。
【００７１】
一方、回動補助手段の昇降突起２６０は、前述した回動装置のヒンジ軸２５０と同様に、一端にフランジが形成され、このフランジが、図７に示すように、両面テープによって腰保護具１２０のクッション部材１２４に付着される。もちろん、昇降突起２６０は、前記フランジがクッション部材１２４に付着されれば、支持板１２６を貫通した後、難燃カバー１２２の切開部１２２ａを通じて突出する。この時、昇降突起２６０にはヒンジ軸２５０のようなワッシャＷを介在させることが望ましい。
【００７２】
以上のようなバックパックの構成の説明において、引用符号３００は、図３に示すように、ヒンジ軸２５０および昇降突起２６０に外挿され、腰保護具１２０、ハーネス固定具１３０、バックボード１００、ヒンジ軸カバー２５５、および突起カバー２６５間にそれぞれ介在される、プラスチック材またはステンレススチール材の摩擦防止板である。
【００７３】
そして、引用符号５５は、圧縮空気ボンベ５０の空気を着用者に供給する空気供給ホース、引用符号５６は圧縮空気ボンベ５０に供給される空気の圧力を減圧するレギュレーター５６である。
【００７４】
このように構成された本発明の実施例１によるバックパックの作動を添付図面の図８〜図１０を参照して説明すれば次のようになる。
【００７５】
まず、本発明の実施例１によるバックパックの使用者は、図１０に示すように、圧縮空気ボンベ固定ベルト４０で圧縮空気ボンベ５０をバックボード１００に固定した後、バックボード１００の保護板１４０を地面または机に支持させて、バックボード１００を垂直に起立させ、ハーネス３０を着用する。
【００７６】
この時、バックボード１００を地面または机に支持する場合、バックボード１００の下部は、圧縮空気ボンベ５０の重さによって、地面または机にぶつかりながら衝撃を受けることになるが、保護板１４０がこの衝撃を吸収しながら圧縮空気ボンベ５０のレギュレーター５６をその衝撃から保護する。
【００７７】
一方、着用者は、ハーネス連結具１３０に装着されて前後方に回動できるハーネス連結ブラケット１３４、およびハーネス連結ブラケット１３４に形成された下向き傾斜（β）を持つハーネス固定孔１３４ａによって、ハーネス３０を容易に着用することができる。
【００７８】
このように、ハーネス３０が着用されれば、着用者は、腰保護具１２０に連結された腰巻２０で腰を取り囲んだ後、バックル２４で腰巻２０をロックする。すると、本発明によるバックパックは、圧縮空気ボンベ５０がバックパックに固定された状態で使用者の背中にバックマウントされる。この時、着用者は、重い圧縮空気ボンベ５０がバックマウントされても、腰保護具１２０のクッション部材１２４によって、背中に刺激が加わらない。
【００７９】
このように、バックマウントされたバックパックの腰保護具１２０およびハーネス連結具１３０は、図８および図９に示すように、回動装置および回動補助手段、すなわちヒンジ軸２５０と第１および第２ガイド長孔２６０ａ、２６０ｂに挿入された昇降突起２６０によって、互いに独立して回動する。もちろん、腰保護具１２０およびハーネス連結具１３０はバックボード１００とも独立して作動する。言い換えれば、バックボード１００は、腰保護具１２０およびハーネス連結具１３０が回動しても、腰保護具１２０およびハーネス連結具１３０のいずれにも干渉されない。
【００８０】
したがって、着用者が腰と腕を動かしても、腰保護具１２０およびハーネス連結具１３０が互いに独立して動くことにより、腰巻２０およびハーネス３０の拘束による制約を受けないので、自由に活動することができる。
【００８１】
特に、バックボード１００が腰保護具１２０およびハーネス連結具１３０の干渉を受けないので、着用者が腰および腕を動かしても、バックボード１００に固定された圧縮空気ボンベ５０は動かなく、これにより、バックパック使用者の動きに拘わらず、圧縮空気ボンベ５０の重量中心は変わらない。
【００８２】
したがって、本発明によるバックパックは、圧縮空気ボンベ５０の重量中心が変わらないので、着用者はもっと自由に活動することができ、従来のように圧縮空気ボンベ５０の重さ中心の変化によって着用者が倒れる問題も防止することができる。
【００８３】
一方、このような本発明によるバックパックは、着用の時、着用者の位置を他者が確認できるように、バックボード１００に備えられた点滅灯１０４が点滅する。このような点滅灯１０４は、前述したように、バッテリーケーシング１０６に内蔵されたバッテリーから電源を受けて作動する。
【００８４】
この時、バッテリーケーシング１０６に内蔵されたバッテリーは、バッテリーケーシング１０６を遮蔽しているカバー１０６ａを取り外せば、容易に入れ替ることができ、特に、バッテリーケーシング１０６が圧縮空気ボンベ５０の取り付けられたバックボード１００の前方側に備えられているので、非常に容易にバッテリーの入れ替えが可能である。
【００８５】
すなわち、バッテリーケーシング１０６が、従来のように、バックボード１００の背面に備えられれば、バックボード１００を覆してバッテリーを入れ替えなければならないので非常に不便であるが、本発明は、バッテリーケーシング１０６がバックボード１００の前面に備えられているのでバッテリーの入れ替えが非常に便利である。
【００８６】
このように、本発明によるバックパックは、点滅灯１０４が点滅するので、他の作業員が、バックパックの着用者の位置を容易に識別することができるため、着用者と着用者の周りの作業者は危険地域で相手の位置または状態を確認しながら作業を行うことができる。しかし、着用者は、相手を確認しながら作業を行う中にも、バックボード１００に装着された圧縮空気ボンベ５０の空気が消尽されるかを随時に確認しなければならない。
【００８７】
もちろん、圧縮空気ボンベ５０に連結された空気供給ホース５５には、圧縮空気ボンベ５０の空気消尽状態を知らせるホイッスルのような警報音発生器（図示せず）が設置されるが、着用者は、安全のために、随時に圧縮空気ボンベ５０の空気残量を確認することが望ましい。そして、着用者は、空気の残量を確認しながら作業を行う中、前述した警報音発生器から警報が発すれば、危険な作業場所から空気の十分な場所に、迅速に移動しなければならない。さらに、着用者は、作業中に圧縮空気ボンベ５０の空気残量を随時確認するべきである。
【００８８】
また、本発明によるバックパックは、保護板１４０が板状に形成されるので、バックパックを着用して移動する場合、保護板１４０に鉄筋のような突出物がかかることがないだけでなく、このような突出物が圧縮空気ボンベ５０のレギュレーター５６を破損させることを防止することができる。
【００８９】
そして、図１０に示すように、ハーネス３０の下端がハーネス連結具１３０に形成されたハーネス固定孔１３４ａによって傾斜を形成することにより、着用者の肩の活動幅をより大きく確保することができる。
【実施例２】
【００９０】
一方、図１１〜図２２は本発明の実施例２を示すもので、これら図面を参照して本発明の実施例２によるバックパックについて以下に説明する。以下の説明において、前述した実施例１と同一構成要素に対しては同一符号を付けて説明し、実施例１と異なる特徴を持つ構成要素には５００番以上の符号を付けて説明する。
【００９１】
図１１は本発明の実施例２によるバックパックを示す斜視図である。図１２は図１１に示すバックパックの分解斜視図である。図１３は図１１に示すバックボードの正面図である。
【００９２】
そして、図１４は図１１に示すハーネス固定具の正面図である。図１５は図１１に示す腰保護具の正面図である。図１６は図１５のＢ−Ｂ’線についての断面図である。図１７は図１５に示す昇降アセンブリを示す分解斜視図である。図１８は図１１に示すバックボード、ハーネス固定具および腰保護具の結合状態を示す一部縦断面図である。
【００９３】
また、図１９は図１１に示すハーネス固定具の使用状態図である。図２０は図１１に示す腰保護具の回動時の状態を示す使用状態図である。図２１は図１１に示す腰保護具の昇降時の状態を示す使用状態図である。図２２は図１１に示す腰保護具の前後方動作時の状態を示す使用状態図である。
【００９４】
図１１および図１２に示すように、本発明の実施例２は、圧縮空気ボンベを固定する圧縮空気ボンベ固定ベルト４０および支持フック１０５が中間部および下端部にそれぞれ備えられ、上端部には各ハーネス３０の一端部が固定されるバックボード１００を持つ。
【００９５】
ここで、バックボード１００上には、ハーネス３０の他端および腰巻２０がそれぞれ結合される長方形プレート１３２を持つハーネス固定具１３０、および腰保護具１２０が実施例１による回動装置によって回動可能に取り付けられる。すなわち、腰保護具１２０およびハーネス固定具１３０は共に、一端部が腰保護具１２０に固定され、他端部がハーネス固定具１３０の長方形プレート１３２およびバックボード１００を貫通し、貫通した他端には、ヒンジ軸カバー２５５が、一体的に固定されるヒンジ軸２５０によって、回動可能に取り付けられる。
【００９６】
そして、本発明の実施例２は、図１１に示すように、ハーネス３０の上端が固定されるハーネス固定孔１０２をバックボード１００の上端に位置するように形成した。すなわち、バックボード１００の上部の端の両側が、図示のように、上向きに突出するように成形した。よって、ハーネス３０の上端でバックパック使用者の肩に加えられる加圧力は、バックボード１００の両側に分散されるが、前述した実施例１よりはっきりと分散される。
【００９７】
このような本発明の実施例２によるバックパックは、ハーネス固定具１３０の回動を案内および制限する回動ガイド手段と、腰保護具１２０の回動角度を制御する回動角度制御手段と、バックボード１００に対して腰保護具１２０をスライドさせながら昇降させる昇降アセンブリとを含むことが、実施例１と区別される大きな特徴である。
【００９８】
前述した回動ガイド手段と回動角度制御手段および昇降アセンブリを示す図面を参照して詳しく説明すれば次のようになる。
【００９９】
まず、回動ガイド手段は、例えば、図１０に示すように、ハーネス固定具１３０の長方形プレート１３２およびバックボード１００の両端部側にガイド長孔５６２をそれぞれ形成し、このガイド長孔５６２にフランジを持つ棒型突起部材を貫通させ、前記突起部材の端部に板状または環状の結合部材を固定することで、ハーネス固定具１３０の回動時、前記突起部材がガイド長孔５６２で移動するように構成した。
【０１００】
この時、突起部材および結合部材は、図面で拡大して示すようなリングナット５６５、およびガイド長孔５６２より大きなサイズのワッシャ型カバー５６８であることができる。このようなリングナット５６５は後端にフランジが備えられる。そして、リングナット５６５のフランジをハーネス固定具１３０の長方形プレート１３２の後方側背面に密着させる。ワッシャ型カバー５６８は溶接またはソルダリングによってリングナット５６５の端部に結合させることができる。しかし、図示のようなネジ５６９を利用してリングナット５６５に結合させることが望ましい。もちろん、ネジ５６９はワッシャ型カバー５６８を貫通した後、リングナット５６５の内周面に形成された雌ネジ部と螺合する。
【０１０１】
また、突起部材および結合部材は、図面に拡大して示すようなピンボルト５６５’およびナット５６８’であることができる。このようなピンボルト５６５’は、そのヘッド部がハーネス固定具１３０の長方形プレート１３２の背面に密着する。ナット５６８’はピンボルト５６５’の端部側に形成されたネジ部と螺合する。
【０１０２】
これとは異なり、突起部材および結合部材は、リングナット５６５のように、後端にフランジを持つ図示しないピン、および前記ピンの端部に外挿されて固定される図示しないスナップリングであることができる。もちろん、前記ピンの端部には前記スナップリングが挿着される溝が円周方向に沿って形成されなければならない。
【０１０３】
このように、ピンボルト５６５’およびナット５６８’、またはフランジを持つ前記ピンおよび前記スナップリングで回動ガイド手段を構成すれば、ワッシャ型カバー５６８を貫通する前述したネジ部５６９を省略することができるので、製造工数および製造単価を減らすことができる。
【０１０４】
しかし、本明細書では、リングナット５６５およびネジ部５６９によって固定されるワッシャ型カバー５６８を含む回動ガイド手段を使用して説明する。このとき、回動ガイド手段のリングナット５６５は、後端のフランジ、および前方に固定されたワッシャ型カバー５６８によって、ハーネス固定具１３０およびバックボード１００上にかかったままで固定される。
【０１０５】
したがって、リングナット５６５は、ハーネス固定具１３０の回動の時、ガイド長孔５６２に沿って昇降する。もちろん、リングナット５６５の昇降範囲はガイド長孔５６２の長さによって決定される。
【０１０６】
このようなガイド長孔５６２はヒンジ軸２５０を中心とする円弧状に形成するが、図１３および図１４に示すように、ヒンジ軸２５０に対して３゜〜２８゜の円弧角（θ、α）を有するように形成することが望ましい。
【０１０７】
特に、バックボード１００上のガイド長孔５６２に対しては２２゜〜２８゜の範囲内で円弧角（θ）を決定し、ハーネス固定具１３０のガイド長孔５６２に対しては３゜〜１３゜の範囲内で円弧角（α）を決定することが望ましい。
【０１０８】
このような本発明の実施例２は、バックボード１００およびハーネス固定具１３０にそれぞれ形成されたガイド長孔５６２に対する円弧角（θ、α）を、それぞれ２２゜および４゜にした。このように、円弧角（θ、α）を適用すれば、リングナット５６５はバックボード１００上のガイド長孔５６２に沿って２２゜昇降し、さらにハーネス固定具１３０上のガイド長孔５６２に沿って４゜昇降する。すなわち、リングナット５６５は合計２６゜昇降する。
【０１０９】
このように、リングナット５６５が２６゜の範囲で昇降するように構成した理由は、この角度範囲が着用者の肩の活動幅に最も適した角度であるからである。
【０１１０】
一方、以上に説明したような回動ガイド手段は、ガイド長孔５６２がハーネス固定具１３０の長方形プレート１３２の端部側に位置するだけでなく、リングナット５６５が腰保護具１２０と独立して形成されるので、本発明の実施例２によるバックボードは、着用の時、ハーネス３０が緊張しても、ハーネス固定具１３０の長方形プレート１３２の端部がねじれない。
【０１１１】
この際、長方形プレート１３２の端部がねじれない第一の理由は、リングナット５６５が腰保護具１２０から分離した状態になり、長方形プレート１３２を拘束しないからである。
【０１１２】
そして、第二の理由は、ガイド長孔５６２およびリングナット５６５などで構成された回動ガイド手段が長方形プレート１３２の端部側に提供されることにより、リングナット５６５のフランジが長方形プレート１３２の端部の一部を平たく支持するからである。
【０１１３】
一方、ハーネス固定具１３０の長方形プレート１３２の端部には、図１４に示すような補強板５００を付着することが望ましい。この補強板５００は、図示のように、長方形プレート１３２のガイド長孔５６２を補強するように付着する。
【０１１４】
すなわち、補強板５００は、図示のように、ガイド長孔５６２をオーバーラップするように長方形プレート１３２の端部に付着する。もちろん、補強板５００には、前述したリングナット５６５が貫通するように、ガイド長孔５６２と同一の長孔を形成しなければならない。
【０１１５】
このように、長方形プレート１３２の端部に補強板５００を付着用すれば、長方形プレート１３２が、ハーネス３０によって伝達される外力に対して確実に抵抗することができる。よって、長方形プレート１３２のねじれをより積極的に防止させることができる。
【０１１６】
つぎに、回動角度制御手段は、例えば、図１２および図１３に示すように、ヒンジ軸２５０の他端に一体的に固定されて、ヒンジ軸２５０とともに回動するヒンジ軸カバー２５５を四角形に形成し、このヒンジ軸カバー２５５の両側に位置するバックボード１００上に、ヒンジ軸カバー２５５の回動中にヒンジ軸カバー２５５を支持する傾斜突起６１０を形成することにより、回動する腰保護具１２０が傾斜突起６１０の傾斜角度（ｒ）内で回動するように構成した。すなわち、傾斜突起６１０の傾斜角度（ｒ）は腰保護具１２０の回動角度でありながらも回動軸２５０の回動角度でもある。傾斜突起６１０のこのような傾斜角度（ｒ）は図２０に示されている。
【０１１７】
この時、傾斜突起６１０は、図示のように、バックボード１００に形成されたヒンジ軸挿入孔２５０ａの両側に形成され、一側の頂点がヒンジ軸カバー２５５の両側に点接触するように三角形に形成される。
【０１１８】
もちろん、傾斜突起６１０は、図示とは異なり、ヒンジ軸挿入孔２５０ａの上下端側に形成することもできる。この場合には、ヒンジ軸カバー２５５が、図示とは異なり、水平方向の長さを有するように形成しなければならない。
【０１１９】
ここで、ヒンジ軸カバー２５５は、傾斜突起６１０の傾斜によって、ヒンジ軸２５０を中心として２５゜〜４２゜の角度に回動するように構成されるが、３０゜の角度内で回動するように構成することが望ましい。このためには、傾斜突起６１０の傾斜角を、ヒンジ軸カバー２５５の回動角度を考慮して特別に設計しなければならない。
【０１２０】
このように、ヒンジ軸カバー２５５および傾斜突起６１０を形成することによって、ヒンジ軸２５０の回動角度が３０゜の範囲に制限される。すなわち、ヒンジ軸２５０が回動する場合、ヒンジ軸カバー２５５も回動し、このヒンジ軸カバー２５５が３０゜の角度に回動すれば、傾斜突起６１０の傾斜面がヒンジ軸カバー２５５の両側面を支持しながら、ヒンジ軸カバー２５５の回動を沮止する。よって、ヒンジ軸カバー２５５の回動中断によって、ヒンジ軸２５０は３０゜の角度内でのみ回動する。
【０１２１】
もちろん、腰保護具１２０の回動角度はヒンジ軸２５０の回動角度によって決定される。すなわち。腰保護具１２０はヒンジ軸２５０を中心として３０゜の角度に回動する。このような３０゜の回動角度は着用者の腰活動幅を充分に考慮した角度である。言い換えれば、本発明のバックパック着用者は、腰保護具１２０が３０゜の回動角度に回動するので、活動上の不便さをまったく感じない。
【０１２２】
つぎに、昇降アセンブリは、例えば、図１５〜図１８に示すように、前方に膨らんでいるキャップ形状のガイド突出部７１０と、昇降ガイド７２０と、ガイド突起７２２と、固定部材７２４とを含んでなる。このような昇降アセンブリは、図示のように、回動装置のヒンジ軸２５０および腰保護具１２０との間に取り付けられる。
【０１２３】
図１７に基づいて昇降アセンブリの構成要素をより詳しく説明すれば、まずガイド突出部７１０は、腰保護具１２０上に、ヒンジ軸２５０と向い合う状態に突設され、その前方には垂直長孔７１２を持つ。この際、ガイド突出部７１０は、腰保護具１２０の難燃カバー１２２に内蔵された支持板１２６に形成することが望ましい。
【０１２４】
もちろん、ガイド突出部７１０は、支持板１２６の射出時に一体に形成される。しかし、これとは異なり、支持板１２６とは別個に製造し、ボルトまたはリベットで支持板１２６に付着することができる。このような場合は通常に分かる場合であるので、その説明を省略する。このようなガイド突出部７１０は、腰保護具１２０の昇降時、腰保護具１２０と一体的に昇降する。
【０１２５】
ついで、昇降ガイド７２０はガイド突出部７１０に形成された垂直長孔７１２の幅より大きく形成され、図示のように、ガイド突出部７１０の背面に密着する。
【０１２６】
ガイド突起７２２は、図示のように、昇降ガイド７２０の中央から伸びて前方に突出する。このようなガイド突起７２２は、図示のように、ガイド突出部７１０の垂直長孔７１２を貫通し、端部にはヒンジ軸２５０が連結される。よって、ガイド突起７２２は、腰保護具１２０およびガイド突出部７１０の昇降の時、垂直長孔７１２によってガイド突出部７１０の昇降を案内する。
【０１２７】
この際、昇降ガイド７２０はガイド突起７２２のフランジとすることができる。すなわち、ガイド突起７２２のフランジをガイド突出部７１０の背面に密着させる。このようなフランジの形状は、原板状、四角板状などに多様に構成することができる。
【０１２８】
このような昇降ガイド７２０のガイド突起７２２とヒンジ軸２５０はスプライン結合するように構成する必要がある。このように構成するためには、ヒンジ軸２５０の背面に、図１７に示すような溝７２２’を形成する。すると、ヒンジ軸２５０は溝７２２’によってガイド突起７２２とスプライン結合し、これにより、ガイド突起７２２の表面でスライドすることが防止される。もちろん、溝７２２’はガイド突起７２２の端部に対応するように形成しなければならない。
【０１２９】
最後に、固定部材７２４は、図示のように、長く形成されたネジとすることができる。このような固定部材７２４は、昇降ガイド７２０および昇降ガイド７２０のガイド突起７２２を連続的に貫通してヒンジ軸２５０と螺合することで、ヒンジ軸２５０およびガイド突起７２２を一体化させる。すなわち、固定部材７２４は、ガイド突起７２２を回動装置に連結する。このようなガイド突出部７１０と、昇降ガイド７２０と、固定部材７２４の結合状態は図１６に詳細に示される。
【０１３０】
図１６に示されているように、ガイド突出部７１０は側面上で前方に膨らんでいるラウンドＲを有するように形成することで、腰保護具１２０の昇降の時、昇降ガイド７２０のガイド突起７２２を中心としてラウンドＲを描きながら昇降するように構成することが望ましい。このように、ガイド突出部７１０がラウンドＲを描きながら昇降するように構成すれば、腰保護具１２０が円滑に昇降することができる。もちろん、昇降するガイド突出部７１０は、垂直長孔７１２を貫通するガイド突起７２２の案内を受けながら昇降する。
【０１３１】
一方、昇降アセンブリは、腰保護具１２０の前後方への動作の時、腰保護具１２０を傾動させる傾動手段をさらに含んでなることができる。
【０１３２】
このような傾動手段は、例えば、図１６〜図１８に示すように、昇降ガイド７２０が側面上で三角形状を有するように形成され、この昇降ガイド７２０に対応して形成されて、側面上で三角形状を持つリング部材７４０を、ガイド突出部７１０の前面に密着するように、昇降ガイド７２０のガイド突起７２２に外挿することで、昇降ガイド７２０およびリング部材７４０が側面上の突出部でガイド突出部７１０を支持しながら前後方へのシーソー動作をするように構成する。このような昇降ガイド７２０およびリング部材７４０のシーソー動作は、図１６に拡大して示されている。
【０１３３】
ここで、昇降ガイド７２０のガイド突起７２２は、リング部材７４０の外挿ができるように、図示のように、長く形成しなければならない。すなわち、リング部材７４０の側面上の厚さの分だけガイド突起７２２の長さを伸ばして形成する。もちろん、昇降アセンブリが傾動手段を含まない場合には、リング部材７４０が省略されるので、ガイド突起７２２の長さを短縮させることができる。
【０１３４】
また、昇降アセンブリは、前述した傾動手段のほかに、図１６〜図１８に示すような摩擦防止部材７６０をさらに含んで構成することができる。
【０１３５】
このような摩擦防止部材７６０はガイド突出部７１０および昇降ガイド７２０との間に介在されて、昇降ガイド７２０の昇降の時、ガイド突出部７１０および昇降ガイド７２０間の接触を防止する。このため、摩擦防止部材７６０は、図１７に示すように、環状に形成することが望ましい。本実施例では、摩擦防止部材７６０はガイド突出部７１０および昇降ガイド７２０間に位置するガイド突起７２２上に外挿して固定させる。
【０１３６】
この時、摩擦防止部材７６０は、図示のように、側面上または断面上でジグザグ状に形成することで、摩擦防止部材７６０がガイド突出部７１０に対して昇降ガイド７２０を弾支するように構成することが望ましい。すなわち、摩擦防止部材７６０は環状の板ばねとすることができる。
【０１３７】
このように、摩擦防止部材７６０を板ばねで構成すれば、腰保護具１２０の前後方への動作の時、シーソー動作する昇降ガイド７２０を摩擦防止部材７６０が自体弾性力によって元の位置に復帰させる。ここで、図１６の拡大して示す図は昇降ガイド７２０の上端が後方にシーソー動作するにしたがい、摩擦防止部材７６０の下端部が圧縮された状態を示すもので、拡大しない図は、摩擦防止部材７６０の弾性力によって、昇降ガイド７２０が元の位置に復帰した状態を示すものである。
【０１３８】
一方、固定部材７２４によって昇降ガイド７２０のガイド突起７２２に固定されたヒンジ軸２５０には、図１８に示すように、ハーネス固定具１３０の長方形プレート１３２、および摩擦防止板３００が順次外挿される。そして、ヒンジ軸２５０はバックボード１００のヒンジ軸挿入孔２５０ａを貫通し、締結ネジ２９０によってヒンジ軸カバー２５５に結合される。
【０１３９】
したがって、このような図１８を基本として図１６を参照すれば、本発明に適用された昇降アセンブリおよびこれによる傾動手段の作動を容易に理解することができる。
【０１４０】
ここで、図１６を参照して昇降アセンブリおよび傾動手段の作動を説明すれば、図１６に示してあるように、ヒンジ軸２５０は、着用者の動きによって腰保護具１２０が回動する場合、腰保護具１２０とともに軸を中心として回動（円周方向に回動）する。
【０１４１】
そして、腰保護具１２０が上下に動く場合、ガイド突出部７１０は、腰保護具１２０によって、昇降ガイド７２０のガイド突起７２２を軸として垂直長孔７１２に沿って昇降する。
【０１４２】
また、腰保護具１２０が前後方に動く場合、昇降ガイド７２０およびリング部材７４０は、腰保護具１２０が前後方に傾くようにシーソー動作を行う。この際、摩擦防止部材７６０は潰れながら弾性力を確保し、傾いた腰保護具１２０が元の位置に復帰すれば、確保された弾性力によって復元しながら昇降ガイド７２０を加圧して元の位置に復帰させる。
【０１４３】
このように構成された本発明の実施例２によるバックパックは、着用者が肩を動かす場合、図１９に示すように、ハーネス３０によってハーネス固定具１３０がヒンジ軸２５０を中心として回動する。もちろん、ハーネス固定具１３０の回動角度は、長方形プレート１３２およびバックボード１００に形成されたガイド長孔５６２と、このガイド長孔５６２に沿って移動するリングナット５６５によって制限される。
【０１４４】
また、本発明によるバックパックは、着用者が腰を両側に曲げる場合、図２０に示すように、腰保護具１２０がヒンジ軸２５０を中心として回動する。この時、ヒンジ軸２５０は端部に結合された四角形のヒンジ軸カバー２５５、およびバックボード１００のヒンジ軸挿入孔２５０ａ両側に形成された傾斜突起６１０によって、３０゜の範囲内に回動角度（ｒ）が制御される。もちろん、腰保護具１２０は、ヒンジ軸２５０によって、ヒンジ軸２５０と同一の回動角度（ｒ）の範囲内で回動する。
【０１４５】
また、着用者が腰を屈する場合、図２１および図２２に示すように、腰保護具１２０が昇降しながら傾動する。この際、腰保護具１２０の昇降時には、ガイド突出部７１０が昇降ガイド７２０に形成されたガイド突起７２２の案内によって昇降する。そして、腰保護具１２０の傾動時には、昇降ガイド７２０およびリング部材７４０が摩擦防止部材７６０を圧縮または弛緩させながらシーソー動作を行う。このように、腰保護具１２０が昇降および傾動を行う場合、摩擦防止部材７６０は昇降ガイド７２０およびガイド突出部７１０の摩擦を防止する。
【０１４６】
一方、本発明の第１および実施例２によるバックパックは、一般のかばんに適用することもできる。このような場合には、バックボード１００をかばんの背凭れとして使用すれば良い。すなわち、本発明のバックパックは、圧縮空気ボンベ固定用にだけ限定されない。
【０１４７】
前記実施例は本発明の望ましい実施例を説明したものに過ぎなく、本発明の適用範囲はこのようなものに限定されるものではなくて、同一の思想範疇内で適切に変更可能なものである。
【０１４８】
したがって、本発明の実施例で示す各構成要素および形状、構造などは変形して実施することができ、このような変形は添付する本発明の特許請求の範囲に属するものであることは当然なものである。
【０１４９】
前記のような本発明によるバックパックは、バックパックの腰巻およびハーネスがバックボードと独立して作動するので、圧縮空気ボンベの重量中心の変化を防止することができ、腰巻とハニスも互いに独立して作動するので、バックパックをバックマウントした着用者の活動性を大幅に向上させる効果がある。
【０１５０】
また、リングナットが腰保護具と別体をなすように構成する場合、ガイド長孔がハーネス固定具の長方形プレートの端部側に形成されることによって、長方形プレートの両端がねじれることを防止することができるだけでなく、長方形プレートの両側が腰保護具から離隔して、ハーネスの緊張状態を持続的に維持させることができるので、バックパックの着心地を向上させる効果がある。
【０１５１】
また、腰保護具がヒンジ軸を中心として回動することができるだけでなく、ガイド突出部および昇降ガイドのガイド突起、そしてリング部材によって、上下方および前後方への動作が可能であって、着心地を一層向上させることができるので、着用者の活動幅を大きく拡大させることができる効果もある。
【０１５２】
さらに、バックボード下端の保護板が板材状に形成されることにより、突出物が保護板にかかることを防止する効果もあり、バックボードの成形の時、保護板を一体的に成形することができるので、バックパックの製造時間を短縮させる効果もあるだけでなく、バックボードの正面にバッテリーケーシングが備えられることによって、バッテリーを簡便で速かに交換することができる、便宜性向上の効果もある。
【図面の簡単な説明】
【０１５３】
【図１】図１は一般のバックパックを示す斜視図である。
【図２】図２は本発明の実施例１によるバックパックを示す斜視図である。
【図３】図３は図２に示すバックパックの構成を示す分解斜視図である。
【図４】図４は図２に示すバックボードを示す正面図である。
【図５】図５は図２に示すハーネス固定具を示す正面図である。
【図６】図６は図２に示す腰保護具を示す正面図である。
【図７】図７は図２に示す腰保護具の一部を図６に示すＡ−Ａ’線に沿って切断して示す断面図である。
【図８】図８は図２に示す腰保護具の作動を示す正面図である。
【図９】図９は図２に示すハーネス固定具の作動を示す正面図である。
【図１０】図１０は本発明の実施例１によるバックパックの使用状態を示す側面図である。
【図１１】図１１は本発明の実施例２によるバックパックを示す斜視図である。
【図１２】図１２は図１１に示すバックパックの分解斜視図である。
【図１３】図１３は図１１に示すバックボードの正面図である。
【図１４】図１４は図１１に示すハーネス固定具の正面図である。
【図１５】図１５は図１１に示す腰保護具の正面図である。
【図１６】図１６は図１５のＢ−Ｂ’線についての断面図である。
【図１７】図１７は図１５に示す昇降アセンブリを示す分解斜視図である。
【図１８】図１８は図１１に示すバックボードとハーネス固定具および腰保護具の結合状態を示す一部縦断面図である。
【図１９】図１９は図１１に示すハーネス固定具の使用状態図である。
【図２０】図２０は図１１に示す腰保護具の回動時の状態を示す使用状態図である。
【図２１】図２１は図１１に示す腰保護具の昇降時の状態を示す使用状態図である。
【図２２】図２２は図１１に示す腰保護具の前後方動作時の状態を示す使用状態図である。
【符号の説明】
【０１５４】
１０、１００                    バックボード
１１、１０２、１３４ａ          ハーネス固定穴
１１ａ                          背中ベルト挿入孔
１２、１０５                    支持フック
１３、１０４                    点滅灯
１４、１０６                    バッテリーケーシング
１０６ａ                        カバー
１０６ｂ                        防水用パッキング
１５                            支持フレーム
２０                            腰巻
２１                            背中ベルト
２２、１２１ａ                  クリップ
２４                            バックル
３０                            肩掛け用ハーネス
４０                            固定ベルト
５０                            圧縮空気ボンベ
５５                            空気供給用ホース
５６                            空気減圧用レギュレータ
１０３                          ベルト固定穴
１２０                          腰保護具
１２１                          連結帯
１２２                          難燃カバー
１２４                          クッション部
１２６                          支持板
１３０                          ハーネス固定具
１３２                          長方形プレート
１３４                          ハーネス連結ブラケット
１４０                          保護板
１４２                          補強リーブ
２５０                          ヒンジ軸
２５０ａ、２５０ｂ              ヒンジ軸挿入孔
２５５                          ヒンジ軸カバー
２６０                          昇降突起
２６０ａ                        第一ガイド長孔
２６０ｂ                        第二ガイド長孔
２６５                          突起カバー
２９０                          締結部材
２９０ａ                        締結ネジ
３００                          摩擦防止板
５００                          補強板
５６２                          ガイド長孔
５６５                          リングナット
５６５’                        ピンボルト
５６８                          ワッシャー型カバー
５６８’                        ナット
５６９                          ネジ部
６１０                          傾斜突起
７１０                          ガイド突出部
７１２                          垂直長孔
７２０                          昇降ガイド
７２２                          ガイド突起
７２２’                        溝
７２４                          固定部材
７４０                          リング部材
７６０                          摩擦防止部材
Ｈ                              ヒンジ
Ｓ                              縫着線
Ｗ                              ワッシャ
θ                              第一長孔の円弧角
α                              第二長孔の円弧角
β                              ハーネス連結ブラケットの下向き傾斜
【図１】
2007511319.tif 000003
【図２】
2007511319.tif 000004
【図３】
2007511319.tif 000005
【図４】
2007511319.tif 000006
【図５】
2007511319.tif 000007
【図６】
2007511319.tif 000008
【図７】
2007511319.tif 000009
【図８】
2007511319.tif 000010
【図９】
2007511319.tif 000011
【図１０】
2007511319.tif 000012
【図１１】
2007511319.tif 000013
【図１２】
2007511319.tif 000014
【図１３】
2007511319.tif 000015
【図１４】
2007511319.tif 000016
【図１５】
2007511319.tif 000017
【図１６】
2007511319.tif 000018
【図１７】
2007511319.tif 000019
【図１８】
2007511319.tif 000020
【図１９】
2007511319.tif 000021
【図２０】
2007511319.tif 000022
【図２１】
2007511319.tif 000023
【図２２】
2007511319.tif 000024
【国際調査報告】
2007511319.tif 000025
2007511319.tif 000026